(57)【特許請求の範囲】
【請求項１】
キャップ外周面への嵌合孔４を有する弾性リングの後部を切り欠いて、この弾性リングを、その切欠き10で対峙するリングの各基端から後方突出した一対のグリップ30,30を握り締めることで、上記キャップ外周面を締め付けるリング状締付部２とし、上記嵌合孔４孔面の周方向一部に、上記締付によりキャップ外周面に疵痕を刻印するためのマーキング用凸部20を付設したことを特徴とする、キャップ閉開具において、
上記マーキング用凸部20を、上記リング状締付部２の基端部12内面に付設したことを特徴とする、キャップ開閉具。
【請求項２】
上記リング状締付部２の内周面端部から周方向基端面に亘る部分を凹状に切除して、この凹部16内面とリング状締付部２の内周面との稜部の少なくとも一部でマーキング用凸部20を形成したことを特徴とする、請求項１記載のキャップ開閉具。
【請求項３】
上記稜部18の長手方向一半部分を残して、他半部分を面取りし或いは除去することで他半部分寄りの稜部一半部角部をマーキング用凸部20としたことを特徴とする、請求項２記載のキャップ開閉具。
【請求項４】
キャップ外周面への嵌合孔４を有する弾性リングの後部を切り欠いて、この弾性リングを、その切欠き10で対峙するリングの各基端から後方突出した一対のグリップ30,30を握り締めることで、上記キャップ外周面を締め付けるリング状締付部２とし、上記嵌合孔４孔面の周方向一部に、上記締付によりキャップ外周面に疵痕を刻印するためのマーキング用凸部20を付設したことを特徴とする、キャップ閉開具において、
上記嵌合孔４を、前後方向に長い楕円形状に形成するとともに、上記リング状締付部２の内周面のうちの短径方向部分を凹状に切り欠いて、この凹部16内面とこの凹部を除くリング状締付部２分内面との稜部でマーキング用凸部20を形成していることを特徴とする、キャップ開閉具。
【請求項５】
上記嵌合孔４は、径の異なる複数の孔径部分６Ａ、６Ｂ…を、その各孔径部分へのキャップの嵌合が可能に段差８を介して連続形成してなり、かつこれら各孔径部分６Ａ、６Ｂ…の内面にそれぞれ上記マーキング用凸部20を付設したことを特徴とする請求項２乃至請求項４の何れかに記載のキャップ開閉具。
【請求項６】
上記リング状締付部２の内周部を硬質材料で、リング状締付部２の外周部と両グリップ30,30とを軟質材料でそれぞれ形成したことを特徴とする、請求項１乃至請求項５の何れかに記載のキャップ開閉具。
【発明の詳細な説明】
【技術分野】
【０００１】
本発明は、キャップ開閉具に関する。
【背景技術】
【０００２】
例えば食品入り壜の口部に固く嵌合されたキャップを簡単に開蓋するため、このキャップの外周壁への嵌合可能なリングの周方向一部を切り欠いて、この切欠き両側のリング両端部から一対のグリップを突設させてなるキャップ開閉具が提案されている(特許文献1)。
【特許文献１】実公昭52−48079号
【発明の開示】
【発明が解決しようとする課題】
【０００３】
壜入りの食品、例えば梅干やラッキョウ、各種調味料などでは、キャップをあけたのち一度に使い切らずに再度キャップをして保存しておくことが少なくない。こうした場合に、その壜のキャップははじめて開けるときには、特許文献１などのキャップ開閉具を必要とするほど固くても、２度目からは手で簡単にあけることができることが多い。こうした壜入りの食品は前回使用してから期間があくと既にキャップを開けたかどうか忘れてしまう場合もあり、また例えば家族で共用しているときには自分ではキャップを開けた覚えがなくても、家族の誰かが開けている可能性もある。このような場合にキャップの外観から既に一度開蓋していることが判ると便利である。
【０００４】
又、従来の開閉具では、キャップの締付け力が強過ぎると、容器体口部とキャップとの間の抵抗が大となり、キャップに対してキャップ開閉具が滑るおそれがあった。
【０００５】
本発明は、キャップを開けるために使用する際にキャップの一部に使用痕が残るようにして、既に開蓋した容器であるか否かを一目で判るように構成したキャップ開閉具を提供するとともに、その使用痕を容易にかつ確実に残すことができるようにし、併せてキャップの開閉を確実に行えるようにすることを目的とする。
【課題を解決するための手段】
【０００６】
第1の手段は、キャップ外周面への嵌合孔４を有する弾性リングの後部を切り欠いて、この弾性リングを、その切欠き10で対峙するリングの各基端から後方突出した一対のグリップ30,30を握り締めることで、上記キャップ外周面を締め付けるリング状締付部２とし、上記嵌合孔４孔面の周方向一部に、上記締付によりキャップ外周面に疵痕を刻印するためのマーキング用凸部20を付設したことを特徴とする、キャップ閉開具において、
上記マーキング用凸部20を、上記リング状締付部２の基端部12内面に付設した。
【０００７】
本手段では、容器のキャップを開蓋する際にこのキャップ外面を締め付けるリング状締付部の内面にマーキング用凸部を設けて、使用の痕跡が残るようにしている。また、このマーキング用凸部がキャップ外周面に食い込むことで、この外周面との滑りを防止し、グリップを掴んで回転させたときに、回転トルクをキャップに確実に伝達できるので、キャップの開蓋が容易となる。
【０００８】
「リング状締付部」は、キャップの外周面に嵌合可能な弾性リングのうち、キャップの締め付けに必要な長さ部分を切り欠いた形状のもの（切欠きリング）であり、その締め付けによりキャップ外周面との摩擦力を生じてキャップを回転させることができるように設ける。尚、リング状締付具の嵌合孔は、キャップ外周面にほぼ対応した形状として、例えばキャップが円形状であれば、嵌合孔の孔縁は円環状に形成すると良い。リング状締結具の外周の形状は、キャップ外周面の締付に支障とならないように適宜定めれば良い。
【０００９】
「マーキング用凸部」は、上記締付によりキャップ外周面に使用痕として疵を付することが出来る程度にキャップの素材よりも硬く、かつ肉眼で使用痕を確認できる程度に大きく設ける。一般にその大きさは（１〜２ｍｍ）程度あれば足りる。又、このマーキング用凸部を含むリング状締付部（或いはキャップ開閉具全体）は、ＡＢＳ樹脂、ＰＰ樹脂、ＰＥＴなどで形成することができる。後述の如くマーキング用凸部は、後述の如くリング状締付部の基端部内面に付することが望ましいが、使用痕を付けることができる限りにおいてリング状締付部の内面のどこに設けても良く、例えばその締付部の先端部内面に付設しても良い。また、マーキング用凸部はリング状締付部の内面から内方突出しても良いが、リング状締付部の基端部内面に形成する場合には、後述の如くこの内面のうち凸部になる部分を残して、その隣接部分を切除することで形成しても良い。また、一対のマーキング用凸部を、リング状締付部の内面対向位置に付設すると、どの方向からキャップを見ても使用痕が目に入るので好適である。
【００１０】
「グリップ」は、リング状締付部の両端部から、握り代としての間隙を存してそれぞれ外方突出している。これらグリップは、上記リングの半径方向に突出して孔軸方向から見てハの字形に設けても良いが、相互に平行に配列しても良い。
【００１２】
また第１の手段では、マーキング用凸部をリング状締付部の基端部に付設することで、この締付部を作用点、基端部を除く締付部分を支点、グリップを力点とするテコの作用で使用痕のマーキングを確実に行うことができるようにしている。
【００１３】
第２の手段は、第１の手段を有し、かつ上記リング状締付部２の内周面端部から周方向基端面に亘る部分を凹状に切除して、この凹部16内面とリング状締付部２の内周面との稜部の少なくとも一部でマーキング用凸部20を形成している。
【００１４】
本手段では、リング状締付部の内周面から基端面に亘って切り欠くことで、マーキング用凸部を形成するようにしている。具体的には上記凹部内面とリング状締付部内周面とで稜部を縦設しており、この稜部の全体（特に端部）とマーキング用凸部として、線状或いは点状の使用痕が残るようにしている。上記凹部の内面と筒壁の内周面との稜角は、鋭角に形成するとキャップへの圧接時に潰れてしまう可能性があるため、直角乃至鈍角に形成することが望ましい。もっとも例えば第７の手段で述べる如くリング状締付部の内周部分を硬質材料で形成するときには鋭角でも良い。
【００１５】
「凹部」は、リング状締付部の基端面側に開口させることでキャップ外周壁の一部が凹部内へめり込むことが可能に形成している。上記凹部は、嵌合孔（或いは後述の孔径部分）の孔径方向ほぼ全長に亘って形成すると良い。
【００１６】
尚、本手段において、「切除」とあるのは、筒軸方向から見てキャップ外周面に対応した形状（例えば円形）のリング状締付部内面から実際に肉を削り取る場合に限らず、予め当該形状に成形する場合をも含むものとする。
【００１７】
第３の手段は、第２の手段を有し、かつ上記稜部18の長手方向一半部分を残して、他半部分を面取りし或いは除去することで他半部分寄りの稜部一半部角部をマーキング用凸部20としている。
【００１８】
本手段では、マーキング用凸部の圧接による使用痕がキャップ外周面の上下中間位置に明瞭にマーキングされるように形成している。
【００１９】
第４の手段は、キャップ外周面への嵌合孔４を有する弾性リングの後部を切り欠いて、この弾性リングを、その切欠き10で対峙するリングの各基端から後方突出した一対のグリップ30,30を握り締めることで、上記キャップ外周面を締め付けるリング状締付部２とし、上記嵌合孔４孔面の周方向一部に、上記締付によりキャップ外周面に疵痕を刻印するためのマーキング用凸部20を付設したことを特徴とする、キャップ閉開具において、
上記嵌合孔４、前後方向に長い楕円形状に形成するとともに、上記リング状締付部２の内周面のうちの短径方向部分を凹状に切り欠いて、この凹部16内面とこの凹部を除くリング状締付部２分内面との稜部でマーキング用凸部20を形成している。
【００２０】
本手段は、リング状の締付部２の内周方向の短径方向部分に凹部を切り欠いて、この凹部16の稜部をマーキング用凸部としており、この構成では、内周面から例えば爪状乃至リブ状の凸部を内方突出した場合と比べ、この凸部が破損し難い。基端部を除くリング状締付部の内周面部分に本手段のマーキング用凸部を付設した場合には、この凸部のキャップへの圧接により確実に使用痕が残るように措置を講ずることが望ましい。例えばリング状締付部の嵌合孔を、筒軸方向（上下方向）から見てやや長円乃至楕円形となし、その孔面（リング状締付部の内周面）のうち短軸方向部分に上記凹部を穿設して、この凹部がリング状締付部によるキャップ締め付けの際にキャップ外周面に特に強く圧接されるように形成しても良い。また、第７の手段で述べる如く、リング状の締付部の内周部分を硬質部材で形成して、この内周部分に上記凹部を穿設しても良い。もっともこうした措置を講じなくてもキャップ外周面へのリング状締付部の締付力が十分強ければ使用痕をマーキングすることは可能であると考えられる。
【００２１】
尚、上記凹部と凹部を除くリング状締付部の内面との稜角は、直角又は鈍角とすることが望ましいが、上記のように内周部分を硬質材料で形成するときには、鋭角でも良い。
【００２２】
第５の手段は、第２の手段乃至第４の手段の何れかを有し、かつ上記嵌合孔４は、径の異なる複数の孔径部分６Ａ、６Ｂ…を、その各孔径部分へのキャップの嵌合が可能に段差８を介して連続形成してなり、かつこれら各孔径部分６Ａ、６Ｂ…の内面にそれぞれ上記マーキング用凸部20を付設している。
【００２３】
本手段において、異径の各孔径部分は、それぞれ対応する径のキャップを抱持するためのものであり、これら各キャップに使用痕をマーキングできるように設けている。
【００２４】
本手段において、リング状締付部は筒形に形成することが望ましい。各孔径部分へキャップを嵌合できるようにするためには次のように構成すれば良い。
まず孔軸方向の一方から、全ての孔径部分へキャップを嵌合することができるようにするには、嵌合孔が孔軸方向に沿って次第に拡径するように各孔径部分を連続形成すれば良い。
【００２５】
他方、後述の図16の如く上記嵌合孔の孔軸方向中間部と両側端部とを相互に異なる径とするとともに、両側端部の少なくとも一方を中間部よりも大径に形成し、この一方側端部側から、この一方側端部内或いは中間部内へ、また、他方側端部側からこの他方側端部内へ、それぞれ対応する径のキャップを嵌合することができるように設けても良い。この場合には、各孔径部分でのキャップ外周面の締付を確実にするために、既述両グリップの先端部を、上記リング状締付部基端の筒軸方向中間箇所に連結すると良い。また、孔軸方向の何れの向きからもキャップを嵌合し易いように、このグリップを上記基端から孔軸と垂直な方向へ突出させることが望ましい。更に又、上記嵌合孔の両端部は、それぞれ孔軸外方へ向かって外向きの段差を介して拡開するように形成しても良い。
【００２６】
第６の手段は、第1の手段乃至第５の手段の何れかを有し、かつ上記リング状締付部２の内周部を硬質材料で、リング状締付部２の外周部と両グリップ30,30とを軟質材料でそれぞれ形成している。
【００２７】
本手段では、使用痕をキャップ外面に刻印するために硬度を必要とするマーキング用凸部付設箇所（リング状締付部）を硬質材料で、その他のキャップ開閉具部分を軟らかく変形し易い材料で形成することを提案している。尚、上記硬質材料は、キャップの素材よりも硬ければ足り、また上記軟質材料は硬質材料よりも軟らかければ足りる。
【発明の効果】
【００２８】
第1の手段に係る発明によれば、次の効果を奏する。
○リング状締付部２の嵌合孔４の一部にマーキング用凸部20を付設したから、キャップを開蓋するとともに、開蓋したことの印を示す使用痕を残すことができ、次に開蓋する折には容器のキャップを見れば直ちに手であけることができることが判るので、便利である。
○上記マーキング用凸部20がキャップ外周面に局部的に圧接するので、キャップに対するリング状締付具２の滑りを防止できる。
【００２９】
また第１の手段に係る発明によれば、マーキング用凸部20を、上記リング状締付部２の基端部12内面に付設したから、締付部を作用点、基端部を除く締付部分を支点、グリップを力点とするテコの作用で上記マーキング用凸部20をキャップへ強く押し込むことができ、従って使用痕のマーキングを確実に行うことができる
第２の手段に係る発明によれば、次の効果を生ずる。
○リング状締付部２の内周面端部から周方向基端面に亘る部分を凹状に切除して、その稜部分でマーキング用凸部20を形成したから、この凸部がキャップへの圧接により潰れない程度の強度を確保できる。
○王冠などの金属キャップでは、締付時に凹部16に対して金属キャップの外周部が食い込むので、また合成樹脂製キャップでも、キャップ周壁の一部が凹部16内にめり込むので、キャップに対するリング状締付部２の滑り止め効果が更に高まる。
【００３０】
第３の手段に係る発明によれば、上記稜部18の長手方向一半部分を残して、他半部分を面取りし或いは除去することでマーキング用凸部20を形成したから、キャップ外周面に明瞭に使用痕を付することができる。
【００３１】
第４の手段に係る発明によれば、上記リング状締付部２の内周面の短径方向部分を凹状に切り欠いて、この凹部16内面とこの凹部を除くリング状締付部２分内面との稜部でマーキング用凸部20を形成したから、このマーキング用凸部がキャップ外周面への圧接により損傷することを防止できる。
【００３２】
第５の手段に係る発明によれば、上記嵌合孔４は径の異なる複数の孔径部分６Ａ、６Ｂ…を段差８を介して連続形成してなり、かつこれら各孔径部分６Ａ、６Ｂ…の内面にそれぞれ上記マーキング用凸部20を付設したから、各孔径部分に対応する径のキャップに対してマーキングを行うことができる。
【００３３】
第６の手段に係る発明によれば、上記リング状締付部２の内周部は、明瞭に使用痕をマーキングできるように硬質に、またリング状締付部２の外周部と両グリップ30,30とは、グリップの握り締めが容易となるように軟質に形成したから、使い勝手が良い。
【発明を実施するための最良の形態】
【００３４】
図１乃至図８は、本発明の第１実施形態に係るキャップ開閉具を示している。
【００３５】
まず、本発明の構成のうち基本的な部分を説明すると、上記キャップ開閉具は、リング状締付部２と一対のグリップ30,30とで形成されている。
【００３６】
リング状締付部２は、キャップ50外周面への取付け用への嵌合孔４を有する筒形の弾性リングの後壁部を切り欠いて、この切欠き10の左右巾を収縮することでキャップ50を締め付けることができるように形成している。上記嵌合孔４は、本実施形態における大孔径部分６Ａ上端から下向き段部８を介して小孔径部分６Ｂを連設している。
【００３７】
両グリップ30,30は、リング状締付部２の基端部12より、上方から見てハ字形に外方突設している。これらリング状締付部２及び両グリップは一体成形している。又、図示のグリップは、図３に示す如く下方から見た周縁部に補強リブを設けている。
【００３８】
本発明では、上記リング状締付部２の基端部12内面からこの基端部の基端面14内半部に亘る部分を図３に示す如く切除して凹部16に形成し、この凹部16内面とリング状締付部２内面との稜部18全体でマーキング用凸部20を形成している。尚、上記凹部16内面とリング状締付部２との内面で張る角（稜角）θは直角よりもやや大きく設けている。図示例では、上記大孔径部分６Ａと、上端部を除く小孔径部分６Ｂとにそれぞれ上記凹部16を設け、それぞれにマーキング用凸部20を付設している。又、上記リング状締付部２の筒壁内面上端部から間欠的に複数のキャップ抜止め片22を内方突出している。
【００３９】
上記構成において、キャップの径に対応して大孔径部分６Ａ又は小孔径部分６Ｂの何れかを選んでキャップ50の周壁（好ましくは周壁のうちネジを切っていない部位）を嵌合させ、グリップ30,30を握り締めると、リング状締付部２でキャップ50外周面を締め付けてこれを開蓋することができる。このとき、図７に示す如く基端部12を除くリング状締付部２分内面Ｓを支点、グリップ30を力点、上記マーキング用凸部20を作用点とするテコの作用でこのマーキング用凸部20がキャップ外周面に食い込み、使用痕がマーキングされる。従って、次回このキャップを開けるときには、使用痕を見てこのキャップが既に開蓋されたことのあるものであることが直ちに判る。この場合には、本願キャップ開閉具を用いずにキャップを開けることができる。
【００４０】
また、図示の例では、マーキング用凸部20と連続して基端面側へ開口する凹部16を設けているから、上記テコ作用によりマーキング用凸部20がキャップ外周壁に食い込むとともに、このキャップ外周壁の一部が上記凹部16内へめり込むため、滑り防止効果が発揮される。
【００４１】
以下本発明の他の実施形態を説明する。本実施形態の構成のうち第１実施形態と同じ部分については、同一の符号を付することで説明を省略する。
【００４２】
図８から図12は、本発明の第２実施形態を示している。この実施形態では、図11に示す如く、凹部16の内面とリング状締付部の筒壁内面との間の稜部18上半部を残して稜部下半部を削り取るように凹部16下半部を周方向前方へ延長したものである。内方から見た凹部16の形状は略Ｌ字型であり、凹部16の下半部は、図10に示す如くリング状締付部２の内周面を、基端面14から離れてリング状締付部の先端部15に向かうに従い、次第に浅くなるように形成されている。本実施形態では、上記稜部18の上半部のうち主として下端部分をマーキング用凸部20としている。この構成では、キャップの周壁外面の上下方向中間部に上記マーキングによる使用痕が残るので、側方から見てその痕を確認し易い。
【００４３】
図12は、本実施形態の変形例であり、上記稜部18の下半部を面取りして、その上半部下端部分をマーキング用凸部20としている。
【００４４】
図13は、本発明の第３実施形態を示している。この形態では、リング状締付部２の内周部２Ｂを、リング状締付部２の外周部２Ａ及びグリップ30,30とは別体として、これら外周部及びグリップ30よりも硬質の素材で形成している。これら外周部及び両グリップは一体成形することができる。また、上記リング状締付部２の内周部２Ｂは、外周部２Ａの内面に回動不能に固着されている。
【００４５】
図14及び図15は、本発明の第４実施形態を示している。この実施形態では、第３実施形態の如くリング状締付部２の基端部（後端部）12内面に形成したマーキング用凸部20の他に、リング状締付部２の先端部（前端部）15内面にマーキング用凸部20を設けたものである。先端部側のマーキング用凸部20は、上方から見て略円形である嵌合孔４の孔面から内方へ突出すると良い。この構造では、キャップ外周壁の反対側にそれぞれマーキングによる使用痕が残るので、利用者がキャップをどの方向から見ても容易に使用痕に気付くようにすることができる。もっとも図示例に限らず、上記マーキング用凸部は、リング状締付部２の内面のどこに設けても良く、２箇所以上設けても良い。
【００４６】
図16は、本発明の第５実施形態を示している。この実施形態では、図９のリング状締付部２を孔軸上方へ延長したものである。その嵌合孔４は、本実施形態において孔軸方向中間の孔径部分６Ａから、この中間部より大径の下方孔径部分６Ｂと、該孔径部分６Ｂより更に大径の上方孔径部分６Ｃとをそれぞれ段部８、８を介して連続形成させてなり、中間孔径部分６Ａと下方孔径部分６Ｂとには下方から、また上方孔径部分６Ｂには上方からそれぞれキャップを嵌合させることが可能に形成している。また、これら嵌合孔４の中間孔径部分６Ａ及び上下両孔径部分６Ｂ，６Ｃにはそれぞれ図９実施形態と同様の凹部16を設け、マーキング用凸部20を付設している。ただし、上方孔径部分６Ｃには、図に示す通り中間孔径部分６Ａ及び下方孔径部分６Ｂとは正逆反対向きに上記凹部16及びマーキング用凸部20を形成している。尚、図示例と異なり、下方孔径部分６Ｂよりも上方孔径部分６Ｃを小径としても良い。
【００４７】
図17は、本発明の第６実施形態を示している。この実施形態では、リング状締付部２の嵌合孔４を、図12の左右に相当する前後方向の径ＤLが左右方向の径ＤSよりも僅かに長い楕円形状に形成し、その嵌合孔孔面のうちの短径方向部分に凹部16を穿設したものである。マーキング用凸部20は、凹部16内面と隣接する孔面部分との稜部で形成されている。本実施形態では、二点鎖線Ｃで表す真円に比べて短径方向の孔面部分が内側に迫り出しているため、リング状締付部内面でキャップ外周面を締め付けたときに、この外周面へ上記マーキング用凸部20を強く圧接することができ、マーキングを確実に行うことができる。本実施形態では、上記嵌合孔４を大孔径部分６Ａと小孔径部分６Ｂとで形成し、これら両孔径部分をそれぞれ楕円形状に形成している。
【００４８】
尚、図示例とは異なり、リング状締付部２はその前後方向を短径に、左右方向を長径としてもよく、これら両径方向を適宜変更することができる。又、嵌合孔は、必ずしも楕円乃至長円とする必要はなく、その孔面の少なくとも一部を真円に比べて内側に迫り出させ、この迫出し部分に上記凹部16の穿設によりマーキング凸部を形成しても良い。
【図面の簡単な説明】
【００４９】
【図１】本発明の第１実施形態に係るキャップ開閉具の平面図である。
【図２】図１のキャップ開閉具のII−II方向縦断面図である。
【図３】図１のキャップ開閉具の底面図である。
【図４】図３の要部拡大図である。
【図５】図１のキャップ開閉具の要部斜視図である。
【図６】図１のキャップ開閉具の作用状態の説明図である。
【図７】図１のキャップ開閉具の作用説明図である。
【図８】本発明の第２実施形態に係るキャップ開閉具の縦断面図である。
【図９】図８のキャップ開閉具の底面図である。
【図１０】図９の要部拡大図である。
【図１１】図８のキャップ開閉具の要部斜視図である。
【図１２】図８のキャップ開閉具の変形例を示す図である。
【図１３】本発明の第３実施形態に係るキャップ開閉具の底面図である。
【図１４】本発明の第４実施形態に係るキャップ開閉具の縦断面図である。
【図１５】図14のキャップ開閉具の底面図である。
【図１６】本発明の第５実施形態に係るキャップ開閉具の縦断面図である。
【図１７】本発明の第６実施形態に係るキャップ開閉具の拡大底面図である。
【符号の説明】
【００５０】
２…リング状締付部 ２Ａ…同外周部 ２Ｂ…同内周部 ４…嵌合孔
６Ａ…（大）孔径部分 ６Ｂ…（小）孔径部分
８…（下向き）段部 10…切欠き 12…基端部 14…基端面 15…先端部 16…凹部
18…稜部 20…マーキング用凸部 22…キャップ抜止め片 30…グリップ
50…キャップ 51…容器 52…口頸部
【図１】
0004466920.tif 000002
【図２】
0004466920.tif 000003
【図３】
0004466920.tif 000004
【図４】
0004466920.tif 000005
【図５】
0004466920.tif 000006
【図６】
0004466920.tif 000007
【図７】
0004466920.tif 000008
【図８】
0004466920.tif 000009
【図９】
0004466920.tif 000010
【図１０】
0004466920.tif 000011
【図１１】
0004466920.tif 000012
【図１２】
0004466920.tif 000013
【図１３】
0004466920.tif 000014
【図１４】
0004466920.tif 000015
【図１５】
0004466920.tif 000016
【図１６】
0004466920.tif 000017
【図１７】
0004466920.tif 000018